(57)【要約】【課題】陰茎が挟まれ確実に固定されるものでありながら、身体側への排泄液漏れの防止性に優れる吸収性物品を提供する。【解決手段】最内側吸収体５２の幅方向中央部に、第１切断部５４Ａが前後方向に延在し、幅方向に第２切断部５４Ｂが複数本、前後方向に間隔を空けて延在して、積層吸収体の内側を覆う２枚のカバーシートは、右側端部から左側に第１切断部５４Ａを超えて延出する右側カバーシート５１ｂと、左側端部から右側に第１切断部を超えて延出する左側カバーシート５１ａとからなり、右側カバーシート５１ｂの延出された端縁が右側端部方向に挿入されて最内側吸収体の右側自由部５２Ｒが左側に凸状に湾曲され、左側カバーシート５１ａの延出された端縁が左側端部方向に挿入されて最内側吸収体５２の左側自由部５２Ｌが右側に凸状に湾曲され、右側自由部５２Ｒと左側自由部５２Ｌとで陰茎固定部が形成されることを可能とする吸収性物品を提供する。【選択図】図６
2020157002.tif 000002
【特許請求の範囲】
【請求項１】
積層吸収体と、前記積層吸収体の外側を覆う不透液性のバックシートとを有する吸収性物品において、
前記積層吸収体は、
最内側吸収体とこの最内側吸収体の外側に位置する吸収体とで構成され、
前記最内側吸収体の幅方向中央部に、切断された第１切断部が前後方向に延在し、
前記第１切断部に交差して幅方向に第２切断部が複数本、前後方向に間隔を空けて延在して第２切断部群が形成され、
前記第２切断部群のうちの隣り合う前記第２切断部相互で挟まれた領域のうち、平面視で幅方向左側が変形可能な左側自由部とされ、幅方向右側が変形可能な右側自由部とされ、 
前記積層吸収体の内側を覆う２枚のカバーシートは、
前記最内側吸収体における幅方向の右側端部から左側に、この最内側吸収体の前記第１切断部を超えて延出する右側カバーシートと、
前記最内側吸収体における幅方向の左側端部から右側に、この最内側吸収体の前記第１切断部を超えて延出する左側カバーシートとからなり、
前記吸収性物品の使用時に、
前記右側カバーシートの延出された端縁が、前記最内側吸収体と前記最内側吸収体の外側に位置する吸収体との間で、かつ右側端部方向に挿入されて、前記最内側吸収体の右側自由部が左側に凸状に湾曲され、
前記左側カバーシートの延出された端縁が、前記最内側吸収体と前記最内側吸収体の外側に位置する吸収体との間で、かつ左側端部方向に挿入されて、前記最内側吸収体の左側自由部が右側に凸状に湾曲され、
前記右側自由部と左側自由部とで陰茎を挟む陰茎固定部が形成される、
ことを可能とする、
ことを特徴とする吸収性物品。
【請求項２】
前記２枚のカバーシートの内側が透液性トップシートで覆われ、
前記透液性トップシートの幅方向中央部に、第１裂開様ミシン目が前後方向に延在し、前記第１裂開様ミシン目に交差して幅方向に第２裂開様ミシン目が複数本、前後方向に間隔を空けて延在して第２裂開用ミシン目群を形成し、
前記第１裂開様ミシン目と前記第１切断部とが内外方向に重なり、前記第２裂開様ミシン目群と前記第２切断部群とが内外方向に重なる、
請求項１記載の吸収性物品。
【請求項３】
前記右側自由部に、前後方向に、複数本間隔を空けて、又は１本、折り曲げ誘導部が延在し、
前記左側自由部に、前後方向に、複数本間隔を空けて、又は１本、折り曲げ誘導部が延在する、
請求項１又は請求項２に記載の吸収性物品。
【請求項４】
前記右側カバーシートにおける前記最内側吸収体の前記第１切断部を超えて幅方向左側に延出された延出部が折り畳まれ、
前記左側カバーシートにおける前記最内側吸収体の前記第１切断部を超えて幅方向右側に延出された延出部が折り畳まれる、
請求項１又は請求項２に記載の吸収性物品。
【請求項５】
前記２枚のカバーシートの内側が透液性トップシートで覆われ、
前記透液性トップシートと前記２枚のカバーシートとの間に不透液性中間シートが介在される、
請求項１又は請求項２に記載の吸収性物品。
【発明の詳細な説明】
【技術分野】
【０００１】
本発明は、パッドタイプ、テープタイプ、パンツタイプ等の吸収性物品に関するものである。
【背景技術】
【０００２】
成人向けの排泄物吸収性物品（おむつ）としては、テープタイプ、パンツタイプ等の基本吸収性物品（アウターとも呼ばれる）の他に、これらと併用することを想定した、より小型のパッドタイプと呼ばれる補助吸収性物品（インナーとも呼ばれる）が提供されており、これらの組み合わせは特にケア施設等の介護現場において汎用されている。
特に装着者が男性の場合、排尿位置が陰茎の位置により変化するため、陰茎が排泄液吸収部からずれることによる排泄液漏れが発生し易いという問題がある。介護現場ではこの問題を解決するために、フラットタイプの補助吸収性物品を用い、その肌面シートに開口部を設けて陰茎を挿入するようにしたり（例えば、特許文献１）、円錐状に丸めて陰茎に巻き付けたりする（例えば、特許文献２）、といった対応が取られている。
【先行技術文献】
【特許文献】
【０００３】
【特許文献１】特開２００９−１７８４２２号公報
【特許文献２】特開２００１−１２９０１２号公報
【特許文献３】特開２００９−８２４７７号公報
【発明の概要】
【発明が解決しようとする課題】
【０００４】
しかし、上述の特許文献１に係る吸収性物品では、排泄量が多いときに吸収体で排泄液を吸収しきれず、開口部から排泄液が漏れるという問題点があり、特許文献２に係る吸収性物品では、陰茎が、物品に固定されるものではないので、動いて物品外に抜け出ると意味をなさないという問題点がある。
そこで、本発明の主たる課題は、陰茎が確実に固定される男性用吸収性物品を提供することであり、従たる課題は、身体側（内側）への排泄液漏れの防止性に優れる吸収性物品を提供することにある。
【課題を解決するための手段】
【０００５】
上記課題を解決した本発明の代表的態様は次記のとおりである。
＜第１の態様＞
積層吸収体と、前記積層吸収体の外側を覆う不透液性のバックシートとを有する吸収性物品において、
前記積層吸収体は、
最内側吸収体とこの最内側吸収体の外側に位置する吸収体とで構成され、
前記最内側吸収体の幅方向中央部に、切断された第１切断部が前後方向に延在し、
前記第１切断部に交差して幅方向に第２切断部が複数本、前後方向に間隔を空けて延在して第２切断部群が形成され、
前記第２切断部群のうちの隣り合う前記第２切断部相互で挟まれた領域のうち、平面視で幅方向左側が変形可能な左側自由部とされ、幅方向右側が変形可能な右側自由部とされ、 
前記積層吸収体の内側を覆う２枚のカバーシートは、
前記最内側吸収体における幅方向の右側端部から左側に、この最内側吸収体の前記第１切断部を超えて延出する右側カバーシートと、
前記最内側吸収体における幅方向の左側端部から右側に、この最内側吸収体の前記第１切断部を超えて延出する左側カバーシートとからなり、
前記吸収性物品の使用時に、
前記右側カバーシートの延出された端縁が、前記最内側吸収体と前記最内側吸収体の外側に位置する吸収体との間で、かつ右側端部方向に挿入されて、前記最内側吸収体の右側自由部が左側に凸状に湾曲され、
前記左側カバーシートの延出された端縁が、前記最内側吸収体と前記最内側吸収体の外側に位置する吸収体との間で、かつ左側端部方向に挿入されて、前記最内側吸収体の左側自由部が右側に凸状に湾曲され、
前記右側自由部と左側自由部とで陰茎を挟む陰茎固定部が形成される、
ことを可能とする、
ことを特徴とする吸収性物品。
【０００６】
（作用効果）
吸収体の右側自由部と左側自由部が湾曲されることで、湾曲された部分がそれ以外の吸収体の部分よりも内外方向ＩＯに厚みを有することになる。また、右側カバーシートの端縁が右側に、左側カバーシートの端縁が左側に、それぞれ入れ込まれるので、湾曲状態が維持される。湾曲された右側自由部と湾曲された左側自由部との間は離間され、陰茎を挿入する部分（陰茎固定部）が形成される。陰茎固定部は所定の厚み（深さ）を有するので、陰茎が陰茎固定部に深く挿入され、湾曲された右側自由部と湾曲された左側自由部とで挟まれ固定される。また、最内側吸収体の外側に位置する吸収体に排泄液のほとんどが吸収され、吸収しきれないものであっても最内側吸収体に吸収されるので、本形態は内側への排泄液漏れの防止性に優れる、との効果を有する。この点で特許文献３は吸収体を１層のみ設けるものであり本形態と異なる。なお、積層吸収体は複数層で形成され、例えば、３層や４層とすることができる。
【０００７】
＜第２の態様＞
第１の態様に加え、
前記２枚のカバーシートの内側が透液性トップシートで覆われ、
前記透液性トップシートの幅方向中央部に第１裂開様ミシン目が前後方向に延在し、前記第１裂開様ミシン目に交差して幅方向に第２裂開様ミシン目が複数本、前後方向に間隔を空けて延在して第２裂開用ミシン目群を形成し、
前記第１開様ミシン目と前記第１切断部とが内外方向に重なり、前記第２裂開様ミシン目群と前記第２切断部群とが内外方向に重なる、
形態を挙げることができる。
【０００８】
（作用効果）
例えば、トップシートの裂開様ミシン目とカバーシートの切断部との位置が内外方向に重なっていないと、裂開様ミシン目を裂開した使用者は、カバーシートにおける吸収体が包まれる部分を掴み難い。しかしながら、重なるように配置されていることで、使用者は同部分を掴み易く、陰茎固定部の成形を行い易くなる。
【０００９】
＜第３の態様＞
第１又は第２の態様に加え、
前記右側自由部に、前後方向に、複数本間隔を空けて、又は１本、折り曲げ誘導部が延在し、
前記左側自由部に、前後方向に、複数本間隔を空けて、又は１本、折り曲げ誘導部が延在する、
形態を挙げることができる。
【００１０】
（作用効果）
折り曲げ誘導部があると、低目付け部を有する領域で自由部が湾曲され易くなり、また、湾曲された状態が維持され易くなる。
【００１１】
＜第４の態様＞
第１又は第２の態様に加え、
前記右側カバーシートにおける前記最内側吸収体の前記第１切断部を超えて幅方向左側に延出された延出部が折り畳まれ、
前記左側カバーシートにおける前記最内側吸収体の前記第１切断部を超えて幅方向右側に延出された延出部が折り畳まれる、
形態を挙げることができる。
【００１２】
延出部が折り畳まれていることで、延出部の端縁が第１切断部近くに位置しながら、折り返しシートをより長く設けることが出来る。使用者は折り返し代（しろ）が長くなり、陰茎固定部の成形を行い易くなる。
【００１３】
＜第５の態様＞
第１又は第２の態様に加え、
前記２枚のカバーシートの内側が透液性トップシートで覆われ、
前記透液性トップシートと前記２枚のカバーシートとの間に不透液性中間シートが介在される、
形態を挙げることができる。
【００１４】
不透液性中間シートでカバーシートが覆われているので、排泄液が最内側吸収体から身体側に透過しても、身体側から漏れ出ることを防止できる。
【発明の効果】
【００１５】
本発明によれば、陰茎が挟まれ確実に固定されるものでありながら、身体側への排泄液漏れの防止性に優れる利点を有する。
【図面の簡単な説明】
【００１６】
【図１】展開状態のパッドタイプ使い捨ておむつの表面側を示す平面図である。
【図２】立体ギャザー及び透液性トップシートを取り外し、展開した状態のパッドタイプ使い捨ておむつの表面側を示す平面図である。
【図３】図１のＹ−Ｙ断面図である。
【図４】図１のＺ−Ｚ断面図である。
【図５】図１のＸ−Ｘ断面図である。
【図６】図４における製品使用例を示す図である。
【図７】図４における製品使用例を示す図である。
【図８】図４の中心付近の拡大図である。
【図９】図１の別の実施形態を示すＺ−Ｚ断面図である。
【図１０】図１の別の実施形態を示すＺ−Ｚ断面図である。
【図１１】カバーシートの説明図である。
【図１２】カバーシートの説明図である。
【図１３】吸収体の平面図である。
【図１４】吸収体の平面図である。
【発明を実施するための形態】
【００１７】
以下、本発明の一実施形態について、添付図面に示されるパッドタイプ使い捨ておむつの例を参照しながら詳説する。
【００１８】
（用語の意義等）
本明細書においては、「前後方向ＬＤ」とは腹側と背側を結ぶ方向をいい、「幅方向ＷＤ」とは前後方向と直交する方向をいい、「上下方向」とは使い捨ておむつの装着状態において胴周り方向と直交する方向をいう。「内外方向ＩＯ」とは身体側と反身体側を結ぶ方向をいい、「内面」とはそれぞれの部材の身体側面をいい、「外面」とは反身体側面をいうものとする。「上側」とは、前後方向の背側をいい、「下側」とは、前後方向の腹側をいう。「内側」とは、内外方向ＩＯの身体側をいい、「外側」とは、内外方向ＩＯの反身体側をいう。以下に示す実施形態ではパッドタイプ使い捨ておむつ２００の内面を平面視して、図面の右側を「右側」、左側を「左側」として例示する。なお、幅方向に３等分した領域のうち、おおよそ平面視で左側から右側にかけて順に、左側端部、中央部、右側端部ということもできる。
【００１９】
本発明におけるパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より広い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。なお、「股間部」とは使用時に身体の股間と対応させる部分を意味し、製品によって、図示形態のように物品の前後方向中央部若しくはその近傍から腹側の所定部位までの範囲であったり、物品の前後方向中央部の所定範囲であったりするものである。また、「前側部分（腹側部分）」は股間部よりも腹側の部分を意味し、「後側部分（背側部分）」は股間部よりも背側の部分を意味する。
パッドタイプ使い捨ておむつ２００は、不透液性シート２１の内面と、透液性トップシート２２との間に、最内側吸収体５２と、最内側吸収体５２の外側に位置する吸収体２３（いか、単に吸収体２３ともいう。図示例では吸収体２３は１層であるが複数層にしてもよい。）とが介在された基本構造を有している。また、最内側吸収体５２と透液性トップシート２２の内面との間には、カバーシート５１ａ、５１ｂが配されている。なお、断面図における点模様部分は各構成部材を接合する接合部分を示しており、ホットメルト接着剤などのベタ、ビード、カーテン、サミットまたはスパイラル塗布などにより形成されるものである。
【００２０】
（吸収体）
吸収体２３、最内側吸収体５２としては、パルプ繊維の積繊体、セルロースアセテート等のフィラメントの集合体、あるいは不織布を基本とし、必要に応じて粒子状等の高吸収性ポリマーを混合、固着等してなるものを用いることができる。吸収体２３、最内側吸収体５２における繊維目付け及び高吸収性ポリマーの目付けは適宜定めることができるが、繊維目付けは７０〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、吸収体２３、最内側吸収体５２はクレープ紙等の包装シート（図示せず）により包むことができる。吸収体２３、最内側吸収体５２は、股間部Ｃ２を含む前後方向ＬＤに延在する長方形状に形成されている。また、吸収体２３、最内側吸収体５２の形状は、相対的に腹側の部分が背側の部分よりも幅広な帯状、あるいは台形状、股間部が幅方向中央部に括れた砂時計形状等、適宜の形状とすることができる。最内側吸収体５２は、吸収体２３の身体側（内側）に吸収体２３に重ねて配されている。平面視で、最内側吸収体５２と吸収体２３それぞれの面積は相互にほぼ同じでもよいし、最内側吸収体５２の面積が吸収体２３の面積よりも大きくても、小さくてもよい。
【００２１】
図１３を参照しつつ説明すると、最内側吸収体５２には第１切断部５４Ａ（裂開様ミシン目や切り込み部であってもよい。）が幅方向中央部に股間部Ｃ３から腹側Ｆ３及び背側Ｂ３にかけて連続して又は間欠に延在している。また、第１切断部５４Ａに交差して幅方向ＷＤに切断された第２切断部が複数本、前後方向ＬＤに間隔を空けて連続して又は間欠に延在して群、すなわち、第２切断部群（裂開様ミシン目や切り込み部であってもよい。（図示例では第２切断部５４Ｂ１、５４Ｂ２、・・・、５４Ｂ６））をなしている。切断部５４Ｂ相互に挟まれる領域は自由部５２Ｌ、５２Ｒとされ、自由部５２Ｌは平面視、左側部分（請求項における左側自由部）をいい、自由部５２Ｒは右側部分（請求項における右側自由部）をいう。自由部５２Ｌの幅方向中央部端縁を自由端部５２ｙ、自由部５２Ｒの幅方向中央部端縁を自由端部５２ｘという。
【００２２】
最内側吸収体５２の第１切断部５４Ａは透液性トップシート２２の第１切断部５０Ａと重なるように配するとよく、最内側吸収体５２における第２切断部５４Ｂ群のそれぞれの第２切断部５４Ｂ１、５４Ｂ２、・・・、５４Ｂ６は、透液性トップシート２２における第２切断部５０Ｂ群のそれぞれの第２切断部５０Ｂ１、５０Ｂ２、・・・５０Ｂ６と重なるように配するとよい。また、最内側吸収体５２の第１切断部５４Ａの長さは、後述する透液性トップシート２２の第１切断部５０Ａの長さと同程度とするとよく、第２切断部５４Ｂ群のそれぞれの第２切断部５４Ｂ１、５４Ｂ２、・・・、５４Ｂ６の長さは、第２切断部５０Ｂ群のそれぞれの第２切断部５０Ｂ１、５０Ｂ２、・・・５０Ｂ６と同程度とするとよい。  第１切断部５４Ａの長さは１５０〜６００ｍｍ、第１切断部５４Ａの前側先端からパッドタイプ使い捨ておむつ２００の前側端縁までの長さは２０〜１５０ｍｍ、第１切断部５４Ａの後側先端からパッドタイプ使い捨ておむつ２００の後側端縁までの長さは２０〜２００ｍｍとすることができる。切断部群５４Ｂ（５４Ｂ１、５４Ｂ２、・・・、５４Ｂ６）の長さは１０〜１００ｍｍとすることができる。切断部５４Ｂ１、５４Ｂ２、・・・、５４Ｂ６それぞれの先端の位置は、相互に前後方向ＬＤに揃えるようにすると好適である。
【００２３】
自由部５２Ｌ、５２Ｒには折り曲げ誘導部（凹状に形成された部分、エンボスやミシン目からなる部分、低目付けからなる部分でもよい）を前後方向ＬＤに設けることができる。折り曲げ誘導部の本数は１本又は複数本設けることができ、複数本設ける場合は幅方向ＷＤに間隔を空けて設けるとよい。当該折り曲げ誘導部を設けておくと、自由端部５２ｘ、５２ｙが湾曲形状に誘導され、折り曲げやすくなる。また、自由端部５２ｘ、５２ｙが湾曲された状態で維持されやすくなる。
【００２４】
（カバーシート）
カバーシート５１ａ、５１ｂは、最内側吸収体５２内面の一部又は全部を覆う形態とするとよい。また、カバーシート５１ａとカバーシート５１ｂは相互にこれらシートの一部が重なるように設けるとよい。カバーシート５１ａ、５１ｂで最内側吸収体５２を覆う形態は特に限定されない。一例に、最内側最内側吸収体５２内面側における幅方向ＷＤの右側端部から左側に、この最内側吸収体の第１切断部を超えて右側カバーシート５１ｂが延出される形態を挙げることができる。また最内側吸収体５２内面側における幅方向ＷＤの左側端部から右側に、この最内側吸収体の第１切断部を超えて左側カバーシート５１ａが延出され、右側カバーシート５１ｂ内面に重なる形態を挙げることができる。このような形態にすると、左側カバーシート５１ａ外面が右側カバーシート５１ｂ内面に幅方向中央部で重なる。なお、カバーシート５１ａ、５１ｂは吸収体２３及び最内側吸収体５２の少なくともいずれか一方の周縁より若干食み出すように設けられてもよい。
【００２５】
右側カバーシート５１ｂにおいて、最内側吸収体５２の第１切断部５４Ａから左側に延出する部分が延出部とされる。また左側カバーシート５１ａにおける最内側吸収体５２の第１切断部５４Ａから右側に延出する部分が延出部とされる。これら延出部それぞれの長さＬｔは、少なくとも最内側吸収体５２の厚さＬｂと最内側吸収体５２における折り曲げ部の長さＬａとの合計以上とするとよい。延出部それぞれの長さＬｔをこのようにすることで、最内側吸収体５２の自由端部５２ｘ、５２ｙが湾曲した状態で維持されて陰茎固定部Ｐが成形され、陰茎が確実に陰茎固定部Ｐに固定される。
【００２６】
湾曲については、図示例では、最内側吸収体５２の右側自由部は左側又は左上に凸状に湾曲されている。そして、自由端部５２ｘは外側又は右側に向いている。しかしながら、自由端部５２ｘは内側に向いていてもよい。同様に、左側自由部は右側又右上に凸状に湾曲されている。そして、自由端部５２ｘは外側又は左側に向いている。しかしながら、自由端部５２ｘは内側に向いていてもよい。
【００２７】
カバーシート５１として次記の形態を提示できる。右側端部から左側に延出する右側カバーシート５１ｂの上記延出部が平面視で前後方向に谷折りに折り畳まれ、延出部の端縁５１ｅが右側に向かうように配される形態とすることができる。また、左側端部から右側に延在する左側カバーシート５１ａの上記延出部が平面視で前後方向に谷折りに折り畳まれ、延出部の端縁５１ｅが左側に向かうように配される形態とすることができる。この形態では延出部における幅方向ＷＤの長さを相対的に長く形成しても折り畳んでおくことができ好適である。例えば、延出部の長さＬｔが、最内側吸収体５２の厚さＬｂと最内側吸収体５２における折り曲げ部の長さＬａとの合計（Ｌｂ＋Ｌａ）の１〜４倍となるように延出部を延出させてもよい。この形態とすることで例えば、左側カバーシート５１ａの延出された端縁５１ｅが最内側吸収体５２と最内側吸収体の外側に位置する吸収体２３との間で、かつ、左側方向に挿入されて、左側自由部５２Ｌが左側カバーシート５１ａに覆われて外側又は内側に湾曲される。そして、延出部が相対的に長いものである場合、延出部の端縁５１ｅをより左側端部寄りに挿入することができ、自由端部５２ｙの湾曲形態が維持され、変形し難い効果を奏する。このことは、自由端部５２ｘを外側又は内側に湾曲させる際にも同様の効果を奏する。なお、折り畳み手法は谷折りに限定されず公知の折り畳み手法とすることができ、例えば、屏風状に折り畳んでもよい。
【００２８】
左側カバーシート５１ａには幅方向ＷＤに延在する切断部、すなわち第２切断部５６Ｂ（裂開様ミシン目や切り込み部であってもよい。（図示例では切断部５６Ｂ１、５６Ｂ２、・・・、５６Ｂ６））が、複数本前後方向ＬＤに間隔を空けて、幅方向に連続して又は間欠に延在して、第２切断部５６Ｂ群を形成している。第２切断部５６Ｂ群は、この左側カバーシート５１ａにおける延在部の側縁から最内側吸収体の切断部５４Ａを超えて連続して又は間欠に延在される形態としてもよいし、延在部の側縁から最内側吸収体５２の他側縁まで連続して又は間欠に延在される形態としてもよい。
【００２９】
右側カバーシート５１ｂには幅方向ＷＤに延在する切断部、すなわち第２切断部５５Ｂ（裂開様ミシン目や切り込み部であってもよい。（図示例では切断部５５Ｂ１、５５Ｂ２、・・・、５５Ｂ６））が、複数本前後方向ＬＤに間隔を空けて、幅方向ＷＤに連続して又は間欠に延在して、第２切断部５５Ｂ群を形成している。第２切断部５５Ｂ群は、この右側カバーシート５１ｂにおける延在部の側縁から最内側吸収体の切断部５４Ａを超えて連続して又は間欠に延在させる形態としてもよいし、延在部の側縁から最内側吸収体の左側端部まで連続して又は間欠に延在させる形態としてもよい。
【００３０】
カバーシート５１ａ、５１ｂとしては不透液性でもよいが、透液性のシートであってもよい。不透液性のシートとしては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。また、カバーシート５１ａ、５１ｂの外面は、不織布からなる外装シート（図示略）により被覆することができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
透液性のシートとしては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３２】
（不透液性バックシート）
吸収体２３の反身体側（外側）には、不透液性バックシート２１が吸収体２３及び最内側吸収体５２の少なくともいずれか一方の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
また、不透液性バックシート２１の外面は、不織布からなる外装シート（図示略）により被覆することができ、この場合、不透液性バックシート２１の幅を吸収体２３の幅と同程度とすることができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３３】
（透液性トップシート）
右側カバーシート５１ｂ及び左側カバーシート５１ａの身体側（内側）は、透液性トップシート２２により覆われている。トップシート２２の側縁から右側カバーシート５１ｂ及び左側カバーシート５１ａが一部食み出す形態としてもよいし、右側カバーシート５１ｂ及び左側カバーシート５１ａの側縁が食み出さないようにトップシート２２の幅を広げる形態とすることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３４】
透液性トップシート２２には前後方向ＬＤに切断された部分からなる切断部、すなわち、第１切断部５０Ａ（裂開様ミシン目や切り込み部であってもよい。）が幅方向中央部に股間部Ｃ３から腹側Ｆ３及び背側Ｂ３に亘って連続して延在している。また、幅方向ＷＤに延在する切断部、すなわち第２切断部５０Ｂ（裂開様ミシン目や切り込み部であってもよい。（図示例では切断部５０Ｂ１、５０Ｂ２、・・・、５０Ｂ６））が、前後方向ＬＤに複数本間隔を空けて、幅方向に連続して延在して、第２切断部５０Ｂ群を形成している。
【００３５】
第１切断部５０Ａの長さＧ４は１５０〜６００ｍｍ、第１切断部５０Ａの前側先端からパッドタイプ使い捨ておむつ２００の前側端縁までの長さＧ１は２０〜１５０ｍｍ、第１切断部５０Ａの後側先端からパッドタイプ使い捨ておむつ２００の後側端縁までの長さＧ２は２０〜２００ｍｍとすることができる。切断部群５０Ｂ（５０Ｂ１、５０Ｂ２、・・・、５０Ｂ６）の長さＧ３は１０〜１００ｍｍとすることができる。切断部５０Ｂ１、５０Ｂ２、・・・、５０Ｂ６それぞれの先端の位置は、相互に前後方向ＬＤに揃えるようにすると好適である。
【００３６】
（不透液性中間シート）
右側カバーシート５１ｂ及び左側カバーシート５１ａと、透液性トップシート２２との間に不透液性中間シート２５を介在させることができる。この不透液性中間シート２５は、吸収体２３及び吸収体により吸収した排泄液の逆戻りを防止するために設けられるものであり、保水性が低く、且つ透液性の高い素材、例えばメッシュフィルム等を用いるのが望ましい。右側カバーシート５１ｂ及び左側カバーシート５１ａの側縁から不透液性中間シートが、一部食み出す形態としてもよいし、右側カバーシート５１ｂ及び左側カバーシート５１ａの側縁から不透液性中間シートの全部が食み出さない形態にしてもよい。また、吸収体２３及び最内側吸収体５２のいずれか一方から不透液性中間シートが、一部食み出す形態としてもよいし、吸収体２３及び最内側吸収体５２のいずれか一方から不透液性中間シートの全部が食み出さない形態にしてもよい。別の形態として、トップシート２２の前端を０％としトップシート２２の後端を１００％としたとき、不透液性中間シート２５の前端は０〜１１％の範囲に位置しているのが好ましく、不透液性中間シート２５の後端は９２〜１００％の範囲に位置しているのが好ましい。また、不透液性中間シート２５の幅２５ｗは最内側吸収体５２の幅Ｗ２の５０〜９０％程度であるのが好ましい。
【００３７】
不透液性中間シート２５には切断部を設けるとよい。不透液性中間シートの切断部２５は、不透液性トップシート２２の切断部全てに重なるように設けると、不透液性中間シートの切断部２５を裂開させ易い。
【００３８】
不透液性中間シート２５としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３９】
また、不透液性中間シート２５の外面は、不織布からなる外装シート（図示略）により被覆することができ、この場合、不透液性中間シート２５の幅を吸収体２３及び最内側吸収体５２の少なくとも一方の幅と同程度とすることができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００４０】
（切断部）
透液性トップシート２２の切断部群５０Ｂ、右側カバーシート５１ｂの切断部群５５Ｂ、左側カバーシート５１ａの切断部群５６Ｂ、不透液性中間シート２５の切断部群、最内側吸収体５２の切断部群５４Ｂは相互に内外方向ＩＯに全部または一部が重なるように配置される。同様に、透液性トップシート２２の第１切断部５０Ａと最内側吸収体５２の第１切断部５４Ａは相互に内外方向ＩＯに全部または一部が重なるように配置される。
【００４１】
（エンドフラップ部・サイドフラップ部）
パッドタイプ使い捨ておむつ２００の前後方向両端部では、外装シート２６および透液性トップシート２２が吸収体２３及び最内側吸収体５２の少なくともいずれか一方の前後端よりも前後両側にそれぞれ延在されて貼り合わされ、吸収体２３及び最内側吸収体５２の存在しないエンドフラップ部ＥＦが形成されている。パッドタイプ使い捨ておむつ２００の両側部では、外装シート２６が吸収体２３及び最内側吸収体５２の少なくともいずれか一方の側縁よりも外側にそれぞれ延在され、この延在部からトップシート２２の側部までの部分の内面には側部立体ギャザーシート３１の幅方向外側の部分３４が前後方向全体にわたり貼り付けられ、吸収体２３及び最内側吸収体５２の存在しないサイドフラップ部ＳＦを構成している。これら貼り合わせ部分は、図１では斜線模様で示されており、ホットメルト接着剤、ヒートシール、超音波シールにより形成できる。外装シート２６を設けない場合、外装シート２６に代えて不透液性シート２１をサイドフラップ部ＳＦまで延在させ、サイドフラップ部ＳＦの外面側を形成することができる。
【００４２】
（側部立体ギャザー）
表面における両側部には、前後方向ＬＤに延在する側部立体ギャザー３０がそれぞれ設けられている。側部立体ギャザー３０は上述の側部立体ギャザーシート３１により形成されている。側部立体ギャザーシート３１の幅方向中央側の部分３２はトップシート２２上にまで延在しており、その幅方向中央側の端部には、側部立体ギャザー弾性部材３３が前後方向に沿って伸張状態でホットメルト接着剤等により固定されている。
【００４３】
側部立体ギャザーシート３１の素材としては、プラスチックシートやメルトブローン不織布を使用することもできるが、肌への感触性の点で、不織布にシリコンなどにより撥水処理をしたものが好適に使用される。この側部立体ギャザー弾性部材３３としては、糸状、紐状、帯状等の細長状に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４４】
また、両側部立体ギャザーシート３１は、幅方向外側の部分３４が前後方向全体にわたりおむつ内面（図示形態ではトップシート２２表面および外装シート２６内面）に貼り合わされて固定部分３４とされるとともに、幅方向中央側の部分３２がこの固定部分から突出する突出部分３２とされている。そして、この突出部分３２のうち、前後方向ＬＤの両端部では倒伏状態でおむつ表面（図示形態ではトップシート２２表面）に貼り合わされて非起立部３５とされ、かつこれら非起立部３５間の部分はおむつ表面（図示形態ではトップシート２２表面）に固定されていない起立部３６とされている。この起立部３６は、側部立体ギャザー弾性部材３３の収縮力が作用することにより、図４に二点差線で示されるように、おむつ表面（図示形態ではトップシート２２表面）から起立して鼠径部等に接触する部分であり、その起立基端３７は側部立体ギャザーシート３１における固定部分３４と突出部分３２との境に位置する。
【００４５】
パッドタイプ使い捨ておむつ２００の使用例を次記に示す。使用者は透液性トップシート２２の切断部を裂開する。裂開する切断部の箇所は、適宜選択することができる。例えば、使用者は第２切断部５０Ｂ２と第２切断部５０Ｂ１を裂開させ、第１切断部５０Ａのうちの第２切断部５０Ｂ１及び第２切断部５０Ｂ２と交わる区間のみ裂開させてもよい。また、使用者は第１切断部５０Ａ全部と第２切断部群５０Ｂ全部を裂開させてもよい。
【００４６】
使用者は、透液性トップシート２２を裂開させたら、右側カバーシート５１ｂと左側カバーシート５１ａの切断部を裂開させる。ここでも、使用者は裂開させる切断部を適宜選択することができる。例えば、使用者が透液性トップシート２２の第２切断部５０Ｂ２と第２切断部５０Ｂ１、第１切断部５０Ａのうちの第２切断部５０Ｂ１及び第２切断部５０Ｂ２と交わる区間のみ裂開させた場合、次のようにするとよい。右側カバーシート５１ｂの第２切断部５５Ｂ１と第２切断部５５Ｂ２、左側カバーシート５１ａの第２切断部５６Ｂ１と第２切断部５６Ｂ２を裂開させる。第２切断部５６Ｂ１と第２切断部５５Ｂ１は第２切断部５０Ｂ１に内外方向ＩＯに重なって位置するので、裂開しやすい。また、液性トップシート２２において第２切断部５０Ｂ２と第２切断部５０Ｂ１、第１切断部５０Ａのうちの第２切断部５０Ｂ１及び第２切断部５０Ｂ２と交わる区間に加えてこれら切断部以外の切断部が裂開された場合でも、第２切断部５６Ｂ１と第２切断部５５Ｂ１を裂開させてもよい。
【００４７】
右側カバーシート５１ｂと左側カバーシート５１ａを裂開させたら、使用者は、最内側吸収体５２の切断部を裂開させる。使用者は裂開させる切断部を適宜選択することができる。例えば、上記例のように使用者が右側カバーシート５１ｂの第２切断部５５Ｂ１と第２切断部５５Ｂ２、左側カバーシート５１ａの第２切断部５６Ｂ１と第２切断部５６Ｂ２を裂開させた場合は、最内側吸収体５２の第２切断部５４Ｂ１と第２切断部５４Ｂ２、第１切断部５４Ａのうちの第２切断部５４Ｂ１及び第２切断部５４Ｂ２と交わる区間のみ裂開させるとよい。第２切断部５４Ｂ１は第２切断部５５Ｂ１及び第２切断部５６Ｂ１に内外方向ＩＯに重なり、第２切断部５４Ｂ２は第２切断部５５Ｂ２及び第２切断部５６Ｂ２に内外方向ＩＯに重なるので裂開されやすい。また、第１切断部５４Ａのうちの第２切断部５４Ｂ１及び第２切断部５４Ｂ２と交わる区間については、例えば右側カバーシート５１ｂと左側カバーシート５１ａ各々における裂開された切断部相互に挟まれる部分（領域）を摘まんで身体側にめくった状態で、同区間を裂開させることができる。
【００４８】
上記裂開させる例は、透液性トップシート２２、右側カバーシート５１ｂ、左側カバーシート５１ａ、最内側吸収体５２の切断部の一部分のみ裂開させるものであるが、これらシートそれぞれの切断部の全部を裂開させてももちろんよい。
【００４９】
なお、透液性トップシート２２、最内側吸収体５２、右側カバーシート５１ｂ、左側カバーシート５１ａの各切断部があらかじめ先端から他端に至るまで連続して裂開されている形態の場合は、使用者は上記裂開する作業を省略することができる。
【００５０】
上述の裂開作業を終えた後、使用者は、最内側吸収体５２における右側自由部５２Ｒ（特に幅方向中央側の自由端部５２ｘ）を外側又は内側に湾曲させ、右側自由部５２Ｒ内面からこの自由端部５２ｘを経て右側自由部５２Ｒ外面にかけて、右側カバーシート５１ｂで覆う。このとき、右側カバーシート５１ｂの延出部を右側自由部５２Ｒ外面に沿わせて、延出部端縁５１ｅをできるだけ右側に挿入するようにするとよい。このようにすると、最内側吸収体５２の自由端部５２ｘを外側又は内側に湾曲させた状態が維持され、変形し難いものとなる。
【００５１】
最内側吸収体５２における左側自由部５２Ｌについても同様である。使用者は、最内側吸収体５２における左側自由部５２Ｌ（特に幅方向中央側の自由端部５２ｙ）を外側又は内側に湾曲させ、左側自由部５２Ｌ内面からこの自由端部５２ｙを経て左側自由部５２Ｌ外面にかけて、左側カバーシート５１ａで覆う。このとき、左側カバーシート５１ａの延出部を左側自由部５２Ｌ外面に沿わせて、延出部端縁５１ｅをできるだけ左側端部に挿入するようにするとよい。
【００５２】
右側自由部５２Ｒ、左側自由部５２Ｌそれぞれが、Ｌ字型に曲がり、自由端部５２ｘ、５２ｙそれぞれが外側又は内側を向くように湾曲してもよいし、自由端部５２ｘ、５２ｙそれぞれが、Ｕ字型に曲がり、自由端部５２ｘ、５２ｙが右側、左側を向くように湾曲してもよい。このとき、Ｕ字型に曲がった自由端部５２ｘ、５２ｙそれぞれが、吸収体２３側に位置してもよいし、カバーシート５１ａ、５１ｂ側に位置してもよい。
【００５３】
右側自由部５２Ｒと左側自由部５２Ｌが外側又は内側に湾曲すると、湾曲した分だけ、最内側吸収体５２における自由端部５２ｘと自由端部５２ｙ付近の内外方向ＩＯの厚みが厚くなる。延出部端縁５１ｅそれぞれを右側、左側に挿入させると自由端部５２ｘと自由端部５２ｙとの間に陰茎固定部Ｐが形成される。この陰茎固定部Ｐは厚みを有し、自由端部５２ｘと自由端部５２ｙとで陰茎を挟むので、使用者が陰茎を陰茎固定部Ｐに深く挿入して固定できる。
【００５４】
陰茎の位置が固定されるのでパッドタイプ使い捨ておむつ２００の装着時において、排泄位置がずれ難いものとなり、排泄位置のずれに伴う排泄液漏れを防止できる。
【００５５】
陰茎固定部Ｐに陰茎を挿入させて排泄した場合、排泄液が吸収体２３に吸収され、及び吸収体２３内面と最内側吸収体５２外面との間に拡散して吸収体２３と最内側吸収体５２に吸収される。
【００５６】
右側カバーシート５１ｂ及び左側カバーシート５１ａの内側と、透液性トップシート２２の外側との間に不透液性中間シート２５が配されていると、排泄液が最内側吸収体５２内面に漏れても、不透液性中間シート２５で遮られる。排泄液が不透液性中間シート２５から内側（身体側）に漏れるのを防止できるので、透液性トップシート２２内面が湿らず、使用者に不快感を与えない。また、最内側吸収体５２の内側に不透液性中間シート２５が追加されて配されることで、湾曲状態の自由端部５２ｘ、５２ｙが、この内側にあるシート群（カバーシート５１ａ、５１ｂ、不透液性中間シート２５、透液性トップシート２２）とこの外側にあるシート群（吸収体２３、不透液性バックシート）とで挟まれ内外方向ＩＯに縮まる力を受け、自由端部５２ｘ、５２ｙの湾曲状態が維持されやすくなる。
【００５７】
(その他)
透液性トップシート２２の第１切断部５０Ａ及び第２切断部５０Ｂ１、５０Ｂ２、・・・、５０Ｂ６、最内側吸収体５２の第１切断部５４Ａ及び第２切断部５４Ｂ１、５４Ｂ２、・・・、５４Ｂ６、右側カバーシート５１ｂの第２切断部５５Ｂ１、５５Ｂ２、・・・、５５Ｂ６、左側カバーシート５１ａの第２切断部５６Ｂ１、５６Ｂ２、・・・、５６Ｂ６は、あらかじめ裂開されている形態にしてもよいし、本製品の使用者が切断部に沿って裂開可能な形態にしてもよい。不透液性中間シート２５の切断部は、裂開可能な形態にするのが望ましい。必要な個所のみ使用者が裂開する形態にすると、裂開箇所が最小限で済み、最内側吸収体５２内面から漏れ出した排泄液が不透液性中間シート２５を透過して身体側に漏れるのを防止でき好適である。
【００５８】
上記実施形態ではパッドタイプ使い捨ておむつ２００の内面を平面視して、右側を右側、左側を左側として例示した。しかしながら、左側を右側、右側を左側とした形態であっても勿論よい。
【産業上の利用可能性】
【００５９】
本発明は、パッドタイプ、パンツタイプ若しくはテープタイプ等、使い捨ておむつ全般に利用できるものである。
【符号の説明】
【００６０】
２００…パッドタイプ使い捨ておむつ、Ｐ…陰茎、２１…不透液性シート、２２…トップシート、２３…最内側吸収体の外側に位置する吸収体、２５…不透液性中間シート、２６…外装シート、３０…側部立体ギャザー、３１…側部立体ギャザーシート、３３…側部立体ギャザー弾性部材、５１ａ…左側カバーシート、５１ｂ…右側カバーシート、５２…最内側吸収体、５２Ｌ…左側自由部、５２Ｒ…右側自由部、５２ｘ…右側の自由端部、５２ｙ…左側の自由端部。
【図１】
2020157002.tif 000003
【図２】
2020157002.tif 000004
【図３】
2020157002.tif 000005
【図４】
2020157002.tif 000006
【図５】
2020157002.tif 000007
【図６】
2020157002.tif 000008
【図７】
2020157002.tif 000009
【図８】
2020157002.tif 000010
【図９】
2020157002.tif 000011
【図１０】
2020157002.tif 000012
【図１１】
2020157002.tif 000013
【図１２】
2020157002.tif 000014
【図１３】
2020157002.tif 000015
【図１４】
2020157002.tif 000016